(57)【要約】本開示の様々な態様は、埋植式医療用装置、及び前記埋植式医療用装置を操縦するように構成された作動ラインを含む、装置、システム、並びに方法を対象とする。前記装置、前記システム、及び前記方法はまた、前記作動ラインを前記埋植式医療用装置に連結するためのテザーの一部分を含む、解放可能なノットを含む。
2021535786.tif 000002
【特許請求の範囲】
【請求項１】
埋植式医療用装置、
前記埋植式医療用装置の送達中に、前記埋植式医療用装置を操縦するように構成された、作動ライン、
前記作動ラインを通して配置された前記埋植式医療用装置の一部分に連結されかつ前記作動ラインを前記埋植式医療用装置に連結するように構成された、テザー、並びに
第３のループが第２のループを通して配置され、前記第２のループが第１のループを通して配置されるようにして、前記第１のループ、前記第２のループ、及び前記第３のループを形成している前記テザーの一部分を含んでおり、かつ前記作動ラインを前記埋植式医療用装置に連結するように構成されている、解放可能なノット、
を備えている、送達システム。
【請求項２】
前記第１のループは、前記テザーの第１の折り畳みの重なり部分で連結された前記テザーの前記第１の折り畳みによって形成されたアイレットである、請求項１に記載の送達システム。
【請求項３】
前記第２のループは、前記テザーの第２の折り畳みによって形成され、前記第３のループは、前記テザーの第３の折り畳みによって形成されている、請求項２に記載の送達システム。
【請求項４】
前記解放可能なノットが、前記テザーの一端に加えられた張力に応じて解放されるように構成されている、請求項１〜３のいずれか１項に記載の送達システム。
【請求項５】
前記第３のループを通って配置されて前記解放可能なノットを形成している前記テザーの一部によって形成されている、第４のループを更に含み、前記第１のループは、前記テザーの第１の折り畳みによって形成され、前記第２のループは、前記テザーの第２の折り畳みによって形成され、前記第３のループは、前記テザーの第３の折り畳みによって形成され、前記第４のループは、前記テザーの第４の折り畳みによって形成されている、請求項１に記載の送達システム。
【請求項６】
前記解放可能なノットは、前記テザーの両端に加えられた張力に応じて解放されるように構成されている、請求項５に記載の送達システム。
【請求項７】
前記テザーの第１の端部は、前記第１のループを通って配置されており、前記テザーの第２の端部は、前記第４のループを通って配置されており、前記解放可能なノットは、前記テザーの前記第２の端部に加えられた張力に応じて解放されるように構成されている、請求項５に記載の送達システム。
【請求項８】
前記解放可能なノットは、前記テザーに張力を加えることなく、前記作動ラインを前記埋植式医療用装置に連結するように構成されている、請求項１〜７のいずれか１項に記載の送達システム。
【請求項９】
前記解放可能なノットは、前記作動ラインに加えられる力に応じて、前記作動ラインと前記埋植式医療用装置との間の分離に抵抗するように構成される、請求項１〜８のいずれか１項に記載の送達システム。
【請求項１０】
作動ラインを埋植式医療用装置に隣接して配置すること、
前記作動ラインのアイレットを通してテザーを進ませ、前記テザーを前記埋植式医療用装置に連結すること、並びに
第３のループが第２のループを通して配置され、前記第２のループが第１のループを通して配置されている、前記第１のループ、前記第２のループ、及び前記第３のループを形成している、前記テザーの一部分を含んでおり、かつ前記作動ラインを前記埋植式医療用装置に連結するように構成されている、解放可能なノットを形成すること、
を含んでいる、
作動ラインを前記埋植式医療用装置に連結する方法。
【請求項１１】
解放可能なノットを視覚的に検査することにより、前記解放可能なノットが前記作動ラインを前記埋植式医療用装置に連結していることを検証し、かつ前記解放可能なノットが結び目の構成を維持できず、前記解放可能なノットが少なくとも部分的に解放されることが、視覚的な検査に不合格となることを更に含む、請求項１０に記載の方法。
【請求項１２】
前記解放可能なノットを形成することは、前記テザーの第１の折り畳みを形成すること、及び前記テザーの前記第１の折り畳みの重なり部分で前記テザーを連結することを含む、請求項１０〜１１のいずれか１項に記載の方法。
【請求項１３】
解放可能なノットを形成することは、第３のループを通して配置されたテザーの一部で第４のループを形成することを含み、前記第１のループは、前記テザーの第１の折り畳みによって形成され、前記第２のループは、前記テザーの第２の折り畳みによって形成され、前記第３のループは、前記テザーの第３の折り畳みによって形成され、前記第４のループは、前記テザーの第４の折り畳みによって形成される、請求項１０〜１２のいずれか１項に記載の方法。
【請求項１４】
前記テザーの一端又は両端に張力を加えることによって前記解放可能なノットを解放することを更に含む、請求項１０〜１３のいずれか１項に記載の方法。
【請求項１５】
前記解放可能なノットは、前記作動ラインに加えられる力に応じて、前記作動ラインと前記埋植式医療用装置との間の分離に抵抗するように構成される、請求項１０〜１４のいずれか１項に記載の方法。
【請求項１６】
埋植式医療用装置、
アイレットを有するライン、及び
前記埋植式医療用装置に連結され、前記ラインの前記アイレットを通って配置され、前記ラインを前記埋植式医療用装置に連結するように構成されたテザーであって、第３のループが第２のループを通って配置され、前記第２のループが第１のループを通って配置されるようにして、前記第１のループ、前記第２のループ、及び前記第３のループを有している、前記テザーの一部を有しており、前記ラインを前記埋植式医療用装置に連結するように構成されている、前記テザー、
を有している、送達システム。
【請求項１７】
前記解放可能なノットは、前記ラインに加えられた力に応じて、前記ラインと前記埋植式医療装置との間の分離に抵抗するように構成されている、請求項１６に記載の送達システム。
【請求項１８】
前記解放可能なノットは、前記テザーに張力を加えることなく、前記ラインを前記埋植式医療用装置に連結するように構成されている、請求項１６に記載の送達システム。
【請求項１９】
前記テザーは、前記テザーの一端又は両端に張力を加えることによってこれらの前記ループを解放するように構成されている、請求項１６に記載の送達システム。
【請求項２０】
前記第３のループを通して配置されている前記テザーの一部によって形成されている第４のループを更に含んでおり、前記第１のループは、前記テザーの第１の折り畳みによって形成されており、前記第２のループは、前記テザーの第２の折り畳みによって形成されており、前記第３のループは、前記テザーの第３の折り畳みによって形成されており、前記第４のループは、前記テザーの第４の折り畳みによって形成されている、請求項１６に記載の送達システム。
【発明の詳細な説明】
【技術分野】
【０００１】
本発明は、身体の解剖学的空間（例えば、血管）を処置するための医療用装置及び方法に関する。より具体的には、本発明は、解剖学的空間内での正確な展開を可能にする埋植式医療用装置プロテーゼを含む方法、装置、及びシステムに関する。
【背景技術】
【０００２】
血管系の疾患は、ますます一般的になっている。血管系の処置は、血管系の蛇行した性質及び複雑さのために困難であり得る。例えば、大動脈解離は、一般に、大動脈弁根又はその近くで始まり、上行大動脈及び大動脈弓に続き、下行大動脈の上部にも影響を及ぼし得る。疾患の状態において埋植される医療用装置は、大動脈解離、動脈瘤、及び血管系の他の疾患の処置のために使用され得る。
【０００３】
大動脈（又は他の蛇行血管）に沿って疾患を修復し、またそこから延びる枝を修復するための医療用装置、システム及び方法を提供することが、依然として望ましい。
【発明の概要】
【０００４】
一つの例（「実施例１」）によれば、送達システムは、埋植式医療用装置、前記埋植式医療用装置の送達中に、前記埋植式医療用装置を操縦するように構成された、作動ライン、前記作動ラインを通して配置された前記埋植式医療用装置の一部分に連結されかつ前記作動ラインを前記埋植式医療用装置に連結するように構成された、テザー、並びに第３のループが第２のループを通して配置され、前記第２のループが第１のループを通して配置されるようにして、前記第１のループ、前記第２のループ、及び前記第３のループを形成している前記テザーの一部分を含んでおり、かつ前記作動ラインを前記埋植式医療用装置に連結するように構成されている、解放可能なノット、を備えている。
【０００５】
別の例（「実施例２」）によれば、実施例１の送達システムに付加的に、前記第１のループは、前記テザーの第１の折り畳みの重なり部分で連結された前記テザーの前記第１の折り畳みによって形成されたアイレットである。
【０００６】
別の例（「実施例３」）によれば、実施例２の送達システムに付加的に、前記第２のループは、前記テザーの第２の折り畳みによって形成され、前記第３のループは、前記テザーの第３の折り畳みによって形成されている。
【０００７】
別の例（「実施例４」）によれば、実施例１〜３のいずれか１つの送達システムに付加的に、前記解放可能なノットが、前記テザーの一端に加えられた張力に応じて解放されるように構成されている。
【０００８】
別の例（「実施例５」）によれば、実施例１の送達システムに付加的に、システムはまた、前記第３のループを通って配置されて前記解放可能なノットを形成している前記テザーの一部によって形成されている、第４のループを更に含み、前記第１のループは、前記テザーの第１の折り畳みによって形成され、前記第２のループは、前記テザーの第２の折り畳みによって形成され、前記第３のループは、前記テザーの第３の折り畳みによって形成され、前記第４のループは、前記テザーの第４の折り畳みによって形成されている。
【０００９】
別の例（「実施例６」）によれば、実施例５の送達システムに付加的に、前記解放可能なノットは、前記テザーの両端に加えられた張力に応じて解放されるように構成されている。
【００１０】
別の実施例（「実施例７」）によれば、実施例５の送達システムに付加的に、前記テザーの第１の端部は、前記第１のループを通って配置されており、前記テザーの第２の端部は、前記第４のループを通って配置されており、前記解放可能なノットは、前記テザーの前記第２の端部に加えられた張力に応じて解放されるように構成されている。
【００１１】
別の例（「実施例８」）によれば、実施例１〜７のいずれか１つの送達システムに付加的に、前記解放可能なノットは、前記テザーに張力を加えることなく、前記作動ラインを前記埋植式医療用装置に連結するように構成されている。
【００１２】
別の例（「実施例９」）によれば、実施例１〜８のいずれか１つの送達システムに付加的に、前記解放可能なノットは、前記作動ラインに加えられる力に応じて、前記作動ラインと前記埋植式医療用装置との間の分離に抵抗するように構成される。
【００１３】
一例（「実施例１０」）によれば、埋植式医療用装置に作動ラインを連結させる方法は、作動ラインを埋植式医療用装置に隣接して配置すること、前記作動ラインのアイレットを通してテザーを進ませ、前記テザーを前記埋植式医療用装置に連結すること、並びに第３のループが第２のループを通して配置され、前記第２のループが第１のループを通して配置されている、前記第１のループ、前記第２のループ、及び前記第３のループを形成している、前記テザーの一部分を含んでおり、かつ前記作動ラインを前記埋植式医療用装置に連結するように構成されている、解放可能なノットを形成すること、を含んでいる。
【００１４】
別の例（「実施例１１」）によれば、実施例１０の方法に付加的に、この方法はまた、解放可能なノットを視覚的に検査することにより、前記解放可能なノットが前記作動ラインを前記埋植式医療用装置に連結していることを検証し、かつ前記解放可能なノットが結び目の構成を維持できず、前記解放可能なノットが少なくとも部分的に解放されることが、視覚的な検査に不合格となることを更に含む。
【００１５】
別の例（「実施例１２」）によれば、実施例１０〜１１のいずれか１つの方法に付加的に、前記解放可能なノットを形成することは、前記テザーの第１の折り畳みを形成すること、及び前記テザーの前記第１の折り畳みの重なり部分で前記テザーを連結することを含む。
【００１６】
別の例（「実施例１３」）によれば、実施例１０〜１２のいずれか１つの方法に付加的に、解放可能なノットを形成することは、第３のループを通して配置されたテザーの一部で第４のループを形成することを含み、前記第１のループは、前記テザーの第１の折り畳みによって形成され、前記第２のループは、前記テザーの第２の折り畳みによって形成され、前記第３のループは、前記テザーの第３の折り畳みによって形成され、前記第４のループは、前記テザーの第４の折り畳みによって形成される。
【００１７】
別の例（「実施例１４」）によれば、実施例１０〜１１のいずれか１つの方法に付加的に、この方法はまた、前記テザーの一端又は両端に張力を加えることによって前記解放可能なノットを解放することを更に含む。
【００１８】
別の例（「実施例１５」）によれば、実施例１０〜１４のいずれか１つの方法に付加的に、前記解放可能なノットは、前記作動ラインに加えられる力に応じて、前記作動ラインと前記埋植式医療用装置との間の分離に抵抗するように構成される。
【００１９】
別の例（「実施例１６」）によれば、送達システムは、埋植式医療用装置、アイレットを有するライン、及び前記埋植式医療用装置に連結され、前記ラインの前記アイレットを通って配置され、前記ラインを前記埋植式医療用装置に連結するように構成されたテザーであって、第３のループが第２のループを通って配置され、前記第２のループが第１のループを通って配置されるようにして、前記第１のループ、前記第２のループ、及び前記第３のループを有している、前記テザーの一部を有しており、前記ラインを前記埋植式医療用装置に連結するように構成されている、前記テザー、を有している。
【００２０】
別の例（「実施例１７」）によれば、実施例１６の送達システムに付加的に、前記解放可能なノットは、前記ラインに加えられた力に応じて、前記ラインと前記埋植式医療装置との間の分離に抵抗するように構成されている。
【００２１】
別の例（「実施例１８」）によれば、実施例１６の送達システムに付加的に、前記解放可能なノットは、前記テザーに張力を加えることなく、前記ラインを前記埋植式医療用装置に連結するように構成されている。
【００２２】
別の例（「実施例１９」）によれば、実施例１６の送達システムに付加的に、前記テザーは、前記テザーの一端又は両端に張力を加えることによってこれらの前記ループを解放するように構成されている。
【００２３】
別の例（「実施例２０」）によれば、実施例１６の送達システムに付加的に、システムはまた、前記第３のループを通して配置されている前記テザーの一部によって形成されている第４のループを更に含んでおり、前記第１のループは、前記テザーの第１の折り畳みによって形成されており、前記第２のループは、前記テザーの第２の折り畳みによって形成されており、前記第３のループは、前記テザーの第３の折り畳みによって形成されており、前記第４のループは、前記テザーの第４の折り畳みによって形成されている。
【図面の簡単な説明】
【００２４】
添付の図面は、本開示の更なる理解を提供するために含まれ、本明細書に組み込まれ、その一部を構成し、実施形態を例示し、説明と共に本開示の原理を説明する役割を果たす。
【図１】図１は、一つの実施形態に係る、埋植式医療用装置及び作動ラインを示す。
【図２Ａ−Ｄ】図２Ａ〜図２Ｄは、一つの実施形態に係る、例示的なテザー、及びテザーの一部分を有する解放可能なノットを形成する工程を示す。
【図３Ａ−Ｅ】図３Ａ〜３Ｅは、一つの実施形態に係る、もう一つの例示的なテザー、及びテザーの一部分を有する解放可能なノットを形成する工程を示す。
【図４Ａ−Ｆ】図４Ａ〜４Ｆは、一つの実施形態に係る、もう一つの例示的なテザー、及びテザーの一部分を有する解放可能なノットを形成する工程を示す。
【図５Ａ−Ｅ】図５Ａ〜５Ｅは、本開示の様々な態様に係る、標的位置に対する拡張可能な装置の角度付けの側面図を示す。
【発明の詳細な説明】
【００２５】
当業者は、本開示の様々な態様が意図された機能を実行するように構成された任意の数の方法及び装置によって実現され得ることを容易に理解するのであろう。また、本明細書で参照される添付の図面は必ずしも一定の縮尺で描かれているわけではなく、本開示の様々な態様を示すために誇張されている場合があり、その点に関して、図面は、限定するものとして解釈されるべきではないことに留意されたい。
【００２６】
本開示の様々な態様は、血管系の処置に使用され得る埋植式医療用装置を含む装置、システム、及び方法に向けられる。埋植式医療用装置は、送達システムを使用して血管系に送達される。加えて、本明細書に記載されている埋植式医療用装置は、実質的に円筒形であってもよく、分岐部を含んでいてもよく、または様々な特徴のいずれかを有していてもよい。更に、埋植式医療用装置は、埋植式医療用装置が埋植される血管系に適合するように構成されてもよく、最小侵襲性の手順を使用して（例えば、経カテーテル技術を介して）埋植式医療用装置の送達を容易にすることができるように低プロファイルであってよく、血管系に埋植された後に生じる力及び他の応力に耐えることができてよい。
【００２７】
送達システムは、血管系内に配置するために埋植式医療用装置を位置決め及び／又は操縦するように構成されてもよい。埋植式医療用装置を位置決め及び／又は操縦するために、送達システムは、ユーザがラインに力を加えることに応じて埋植式医療用装置の位置を変化させるラインを含んでもよい。ラインは（例えば、埋植式医療用装置が送達され、位置決めされた後に、血管系への外傷を回避するために、ラインの除去を可能にするために）埋植式医療用装置に解放可能に連結されてもよい。以下で更に詳細に議論されるように、テザーは、ラインを埋植式医療用装置に解放可能に連結するために使用され得る。テザーは、容易に製造可能でありかつ適切な展開を容易にする、解放可能なノットに形成されてもよい。本明細書で論じる解放可能なノットは、解放中にラインとの絡み合いを回避する。他の例において、テザーはまた、他のラインを埋植式医療用装置に解放可能に連結するために使用されてもよい。
【００２８】
図１は、本開示の様々な態様に係る、埋植式医療用装置１００及びライン１０２を示す。埋植式医療用装置１００は、患者の血管系内の標的位置への埋植式医療用装置１００の送達のために、送達システムに解放可能に連結される。送達システムは、前端１０６及び後端（図１には図示せず）を含むカテーテル１０４を含み得る。埋植式医療用装置１００は、カテーテル１０４の前端１０６の近くに配置されてもよい。カテーテル１０４は、埋植式医療用装置１００の管腔を通って、埋植式医療用装置１００の近位端１０８に向かって、かつそれを越えて延びることができる。カテーテル１０４はまた、先端１０６に先端（図示せず）を含んでもよい。図１に示すように、埋植式医療用装置１００は、ステント成分及びグラフト成分を含むが、埋植式医療用装置は、ステント、グラフト、分岐型埋植式医療用装置、及び心臓弁等を含む様々な形態をとることができる。
【００２９】
埋植式医療用装置１００は、近位端１０８、遠位端１１０、及びそれらの間に延在する流動管腔を含む。埋植式医療用装置１００の近位端１０８は、患者の血管系内の標的位置に最も近い、埋植式医療用装置１００の端部と見なすことができる。ライン１０２は、１つ又は複数の位置で埋植式医療用装置１００に連結されてもよい。図１に示されるように、ライン１０２は、埋植式医療用装置１００の近位端１０８に隣接して、または近くに取り付けられ、送達システムの利用者がアクセス可能である。
【００３０】
図示されるように、ライン１０２は、少なくとも１つのテザー１１２を介して埋植式医療用装置１００に連結される。テザー１１２は、ライン１０２を埋植式医療用装置１００に連結するために、埋植式医療用装置１００の一部を通り、ライン１０２を通って、配置されてもよい。場合によっては、図１に示されるように、少なくとも１つのテザー１１２は、埋植式医療用装置１００の近位端１０８の近く又はそれに隣接して、埋植式医療用装置１００を通って配置される。少なくとも１つのテザー１１２は、図１に示すように、単一のテザーであってもよい。
【００３１】
いくつかの例において、埋植式医療用装置１００は、埋植式医療用装置１００の表面（例えば、外面）に取り付けられた、又は連結された、パッチ１１４を含んでもよい。パッチ１１４は、埋植式医療用装置１００の表面とグラフト材料との間に管腔を形成するグラフト材料の層を含むことができる。テザー１１２は、パッチ１１４を通って配置されて、ライン１０２を埋植式医療用装置１００に連結してよい。
【００３２】
場合によっては、ライン１０２は、埋植式医療用装置１００をその送達中に操縦するように構成された作動ライン１０２である。作動ライン１０２は、送達システムを操作するユーザが作動ライン１０２に力を加え、埋植式医療用装置１００を双方向に（例えば、患者の血管系内の標的位置に対して近位及び遠位に）操縦し得るように、柱強度を含み得る。例えば、作動ライン１０２は、テザー１１２の剛性よりも大きい剛性を有していてよい。作動ライン１０２の剛性及び／又は作動ライン１０２が埋込型医療用装置１００に連結される位置は、患者の血管系内の標的位置に対して埋込型医療用装置１００を展開及び配置することを容易にし得る。例えば、埋植式医療用装置１００は、少なくとも１つの変曲点を有する曲率を有する蛇行血管で展開するように構成されてもよい。場合によっては、作動ライン１０２は、埋植式医療用装置１００の送達中に、蛇行血管の湾曲における変曲点に対してほぼ垂直に、埋植式医療用装置１００の近位端１０８を維持するように構成される。
【００３３】
作動ライン１０２は、埋植式医療用装置１００が患者の血管系内の標的位置に配置され、展開された後に、埋植式医療用装置１００から切り離され、又は解放されて、患者から除去されてもよい。場合によっては、テザー１１２は、作動ライン１０２が埋植式医療用装置１００から解放されるか、又は切り離された後に、埋植式医療用装置１００に連結されたままであるか、または通されたままであるように構成される。作動ライン１０２は、テザー１１２がそれを通して配置されるアイレット又は開口部を、遠位端に含むことができる。更に、テザー１１２は、生体吸収性材料から形成され得、この生体吸収性材料は、溶解して、埋植式医療用装置１００から作動ライン１０２を解放し、又は切り離す。他の例において、テザー１１２は、埋植式医療用装置１００から作動ライン１０２を切り離すために、取り外されるか、又はほどかれるように構成される。
【００３４】
図２Ａ〜図２Ｄは、一つの実施形態に係る、例示的なテザー、及びテザーの一部分を有する解放可能なノットを形成する工程を示す。図１を参照して上記で詳細に説明したように、テザー１１２は、埋植式医療用装置の一部に連結され、かつライン（例えば、作動ライン）を通って配置されて、ラインを埋植式医療用装置に連結する。図２Ａ〜図２Ｄに示される工程を通した進行によって示されるように、テザー１１２は、解放可能なノットを形成し、これは、図２Ｄに完成した形態で示される。テザー１１２は、解放可能なノット２００の形成において、複数のループを含む。
【００３５】
場合によっては、図２Ａに示すように、テザー１１２は、第１のループ２０２を含む。第１のループ２０２は、テザー１１２の第１の折り畳みの重なり部分２０４で連結されるテザー１１２の第１の折り畳みによって形成されるアイレットであり得る。テザー１１２は、熱を加えてテザー１１２をそれ自体に連結させて、第１のループ２０２を形成することによって、互いに連結されてもよい。テザー１１２は、ライン及び埋植式医療用装置を通って進まされ、又は配置され、ラインを埋植域医療用装置に連結する。説明を容易にするために、要素２０６は、ラインの一方及び埋植式医療用装置を表し、要素２０８は、他方のライン及び埋植式医療用装置を表す。場合によっては、要素２０６は、パッチ（図１に示される）又は埋植式医療用装置の穴であってもよく、かつ要素２０８は、ラインのアイレットであってよい。
【００３６】
図２Ｂに示されるように、テザー１１２は、要素２０６及び要素２０８の周りに配置される。場合によっては、テザー１１２は、要素２０６（図１に示すパッチ）を通り、ラインのアイレットを通って配置される。要素２０６及び要素２０８を通って、又はその周りに配置された後、テザー１１２は、図２Ｃに示されるように、第２のループ２１０を形成するように折り畳まれ得る。次いで、テザー１１２の第２のループ２１０は、テザー１１２の第１のループ２０２を通って配置される。
【００３７】
更に、図２Ｄに示されるように、テザー１１２の第３の折り畳みは、第３のループ２１２を形成し得る。続いて、第３のループ２１２は、第２のループ２１０を通って配置される。したがって、第３のループ２１２は、第２のループ２１０を通って配置され、第２のループ２１０は、第１のループ２０２を通って配置されて、図２Ｄに示されるような解放可能なノット２００を形成する。この構成において、解放可能なノット２００は、作動ラインを埋植式医療用装置に連結するように構成される。
【００３８】
上述のようにテザー１１２の複数のループが形成され、配置された後、テザー１１２の端部２１４、２１６に張力を加えて、解放可能なノット２００を締め付けることができる。解放可能なノット２００を解放し、又はほどくために、端部２１４、２１６の一方に張力を加えることができる。
【００３９】
上述の方法で解放可能なノット２００を形成することは、製造可能であり得る。場合によっては、解放可能なノット２００は、手で形成され又は結ばれる。解放可能なノット２００を形成する工程は、比較的に単純である（例えば、テザー１１２における多数ではない、最小限のクロスオーバー又はループの形成）。更に、解放可能なノット２００を製造又は形成する際に、解放可能なノット２００が適切に形成されているかどうかを判定すべきである。解放可能なノット２００は、解放可能なノット２００が埋植式医療用装置にラインを連結するときに、適切に形成される。上述の方法で解放可能なノット２００を形成することはまた、解放可能なノット２００が適切に形成されているかどうかを示すことによって、製造可能性を容易にすることができる。このようにして、解放可能なノット２００は、非効率的に形成され得ない。例えば、解放可能なノット２００を形成する工程に従わない場合、解放可能なノット２００は、ノット構成（例えば、図２Ｄに示されるような）を維持せず、テザー１１２は、少なくとも部分的に解放される。その結果、解放可能なノット２００を視覚的に検査して、解放可能なノット２００が作動ラインを埋植式医療用装置に効果的に連結することを確認することは、解放可能なノット２００がノット構成を維持しているか、またはそうしないかを判定することを含む。
【００４０】
更に、解放可能なノット２００は、テザー１１２に張力を加えることなく、作動ラインを埋植式医療装置に連結するように構成される。解放可能なノット２００が形成された後、解放可能なノット２００をノット構成（例えば、図２Ｄに示すような）に保持するために張力を加える必要はない。テザー１１２の端部２１６は、使用がテザー１１２の端部２１６に張力を加えるか、又はテザー１１２の端部２１６に連結された展開ハンドルの一部を作動させることができるように、展開ハンドル（図示せず）又はカテーテルの近位部分（例えば、図１を参照して上述したような）に連結することができる。
【００４１】
図１を参照して上述したように、ライン（作動ライン）は、作動ラインに加えられた力に応じて、埋植式医療用装置を操縦できてよい。場合によっては、埋植式医療用装置を双方向に（例えば、患者の血管系内の標的位置に対して近位および遠位に）操縦するために、力が作動ラインに印加されてもよい。解放可能なノット２００は、操縦中に、埋植式医療用装置に連結されたラインを維持するためにノット構成を維持するように構成される。
場合によっては、解放可能なノット２００は、作動ラインに印加される力に応じて、（作動）ラインと埋植式医療用装置との間の分離に抵抗するように構成される。（図１を参照して上述したように）埋植式医療用装置が患者の血管系に整列された後、テザー１１２は、テザー１１２の端部２１６に張力を加えることによって、第２及び第３のループ２１０、２１２を第１のループ２０２から解放するように構成される。
【００４２】
図３Ａ〜Ｅは、一つの実施形態に係る、もう一つの例示的なテザー１１２、及びテザー１１２の一部と共に解放可能なノット３００を形成する工程を示す。図１を参照して上記で詳細に説明したように、テザー１１２は、埋植式医療用装置の一部に連結され、ライン（例えば、作動ライン）を通って配置されて、ラインを埋植式医療用装置に連結する。図３Ａ〜図３Ｅに示される工程を通って進行することが示されるように、テザー１１２は、解放可能なノット３００を形成し、これは、図３Ｅに完成した形態で示される。
【００４３】
場合によっては、図３Ａに示すように、テザー１１２は、第１のループ２０２を含む。第１のループ２０２は、テザー１１２の第１の折り畳みによって形成されてもよい。テザー１１２は、ライン及び埋植式医療用装置を通って進み又は配置され、ラインを埋植式医療用装置に連結する。図２Ａ〜図２Ｄの図解と同様に、要素２０６は、ラインの一方及び埋植式医療用装置を表し、要素２０８は、他方のライン及び埋植式医療用装置を表す。場合によっては、要素２０６は、パッチ（図１に示される）であってもよいし、埋植式医療用装置の穴であってもよく、要素２０８は、ラインのアイレットであってもよい。テザー１１２は、要素２０６及び要素２０８の周りに配置される。場合によっては、テザー１１２は、要素２０６（図１に示すパッチ）を通り、ラインのアイレットを通って配置される。要素２０６及び要素２０８を通って、又はその周りに配置された後、テザー１１２は、図３Ｂに示されるように、第２のループ２１０を形成するように折り畳まれ得る。次いで、テザー１１２の第２のループ２１０は、テザー１１２の第１のループ２０２を通って配置される。
【００４４】
図３Ｃは、第２のループ２１０を形成する際のテザー１１２のための経路を示す。図２Ｃに示されるように、折り畳まれたテザー１１２の両方の部分は、第２のループ２１０を形成するために使用される。更に、図３Ａ〜Ｅに示されるように、テザー１１２によって形成されるループの各々は、折り畳まれたテザー１１２の両方の部分を含む。例えば、図３Ｄに示すように、テザー１１２の第３の折り畳みは、第３のループ２１２を形成することができる。次に、第３のループ２１２は、第２のループ２１０を通って配置される。続いて、第３のループ２１２は、第２のループ２１０を通って配置される。図３Ｅに示されるように、テザー１１２の第４の折り畳みは、第４のループ３１６を形成し得る。次に、第４のループ３１６は、第３のループ２１２を通って配置される。
【００４５】
第４のループ３１６が第３のループ２１２を通って配置された後、テザー１１２の端部２１４、２１６に張力を加えて、解放可能なノット３００を締め付けて完成させることができる。解放可能なノット３００を解放し、又はほどくために、端部２１４、２１６の両方に張力を加えることができる。解放可能なノット３００が形成された後、解放可能なノット３００をノット構成（例えば、図３Ｅに示すような）に保持するために張力を加える必要はない。端部２１４、２１６の一方又は両方は、使用がテザー１１２の端部２１４、２１６の一方に張力を加えるか、又はテザー１１２の端部２１４、２１６の一方に連結された展開ハンドルの一部を作動させることができるように、展開ハンドル（図示せず）又はカテーテルの近位部分（例えば、図１を参照して上述したよう）に連結することができる。
【００４６】
上述の方法で解放可能なノット３００を形成することは、製造可能であり得る。解放可能なノット３００を形成する工程は、比較的に単純である（例えば、テザー１１２における多数ではない、最小限のクロスオーバー又はループの形成）。更に、解放可能なノット３００を製造又は形成する際に、解放可能なノット３００が適切に形成されているかどうかを判定すべきである。解放可能なノット３００は、解放可能なノット３００が埋植式医療用装置にラインを連結することができるときに、適切に形成される。その結果、解放可能なノット２００を視覚的に検査して、解放可能なノット３００が作動ラインを埋植式医療用装置に効果的に連結することを確認することは、解放可能なノット２００がノット構成を維持しているか、またはそうしないかを判定することを含む。
【００４７】
図１を参照して上述したように、ライン（作動ライン）は、作動ラインに加えられた力に応じて、埋植式医療用装置を操縦することができてよい。場合によっては、埋植式医療用装置を双方向に（例えば、患者の血管系内の標的位置に対して近位および遠位に）操縦するために、力が作動ラインに印加されてもよい。解放可能なノット３００は、操縦中に埋植式医療用装置に連結されたラインを維持するためにノット構成を維持するように構成される。場合によっては、解放可能なノット３００は、作動ラインに加えられる力に応じて、（作動）ラインと埋植式医療用装置との間の分離に抵抗するように構成される。（図１を参照して上述したように）埋植式医療用装置が患者の血管系に整列された後、テザー１１２は、テザー１１２の端部２１４、２１６に張力を加えることによって、第２及び第３のループ２１０、２１２を第１のループ２０２から解放するように構成される。
【００４８】
図４Ａ〜Ｆは、一つの実施形態に係る、もう一つの例示的なテザー、及びテザーの部分を有する解放可能なノットを形成する工程を示す。図１を参照して上記で詳細に説明したように、テザー１１２は、埋植式医療用装置の一部に連結され、ライン（例えば、作動ライン）を通って配置されて、ラインを埋植式医療用装置に連結する。図４Ａ〜図４Ｆに示される工程を通って進行することが示されるように、テザー１１２は、解放可能なノット４００を形成し、これは、図４Ｆに完成した形態で示される。以下で更に詳細に論じるように、テザー１１２は、複数のループ２０２、２１０、２１２、３１６によって解放可能なノット４００を形成する。
【００４９】
場合によっては、図４Ａに示すように、テザー１１２は、第１のループ２０２を含む。第１のループ２０２は、テザー１１２の第１の折り畳みによって形成されてもよい。テザー１１２は、ライン及び埋植式医療用装置を通って進み又は配置され、ラインを埋植式医療用装置に連結する。図２Ａ〜Ｄ及び図３Ａ〜Ｅの図解と同様に、要素２０６は、ラインの一方及び埋植式医療用装置を表し、かつ要素２０８は、他方のライン及び埋植式医療用装置を表す。場合によっては、要素２０６は、パッチ（図１に示される）であってもよいし、埋植式医療用装置の穴であってもよく、要素２０８は、ラインのアイレットであってもよい。テザー１１２は、要素２０６及び要素２０８の周りに配置される。場合によっては、テザー１１２は、要素２０６（図１に示すパッチ）を通り、ラインのアイレットを通って配置される。要素２０６及び要素２０８を通って、またはその周りに配置された後、テザー１１２は、図４Ｂに示されるように、第２のループ２１０を形成するように折り畳まれ得る。次いで、テザー１１２の第２のループ２１０は、テザー１１２の第１のループ２０２を通って配置される。図４Ｃは、第２のループ２１０を形成する際の、テザー１１２のための経路を示す。図４Ｃに示されるように、折り畳まれたテザー１１２の両方の部分は、第２のループ２１０を形成するために使用される。テザー１１２によって形成される第１のループ２０２及び第２のループ２１０の各々は、折り畳まれたテザー１１２の両方の部分を含む。図４Ｄに示されるように、第３のループ２１２を形成し得る、テザー１１２の第３の折り畳みは、テザー１１２の部分のうちの１つを含む。図４Ｄに示されるように、テザー１１２の端部２１４は、第１のループ２０２を通って戻るように配置され、一方、テザー１１２の端部２１６は、第２のループ２１０を通って配置される第３のループ２１２を形成するように折り畳まれる。
【００５０】
解放可能なノット４００に形成された第３のループ２１２と同様に、テザー１１２の第４の折り畳みは、テザー１１２の端部２１６を含む第４のループ３１６を形成することができる。次に、第４のループ３１６は、図４Ｅ−Ｆに示すように、第３のループ２１２を通って配置される。第４のループ３１６が第３のループ２１２を通って配置された後、テザー１１２の端部２１４、２１６に張力を加えて、解放可能なノット４００を締め付けて完成させることができる。
【００５１】
解放可能なノット４００を解放し又はほどくために、端部２１６に張力を加えることができる。場合によっては、端部２１４は、解放可能なノット４００が形成された後に切り取られてもよい。更に、端部２１６は、使用者がテザー１１２の端部２１６に張力を加えるか、又はテザー１１２の端部２１６に連結された展開ハンドルの一部を作動させることができるように、展開ハンドル（図示せず）又はカテーテルの近位部分（例えば、図１を参照して上述したよう）に連結することができる。加えて、解放可能なノット４００をノット構成（例えば、図４Ｆに示すような）に保持するために張力を加える必要がない。
【００５２】
上述の方法で解放可能なノット４００を形成することは、製造可能であり得る。解放可能なノット４００を形成する工程は、比較的に単純である（例えば、テザー１１２における多数ではない、最小限のクロスオーバー又はループの形成）。更に、解放可能なノット４００を製造又は形成する際に、解放可能なノット４００が適切に形成されているかどうかを判定すべきである。解放可能なノット４００は、解放可能なノット４００がラインを埋植式医療用装置に連結することができるときに、適切に形成される。その結果、解放可能なノット４００が作動ラインを埋植式医療用装置に効果的に連結することを確認するために解放可能なノット２００を視覚的に検査することは、解放可能なノット２００が結び目構成を維持しているか、またはそうしないかを判定することを含む。
【００５３】
図１を参照して上述したように、ライン（作動ライン）は、作動ラインに加えられた力に応じて、埋植式医療用装置を操縦することができる。解放可能なノット４００は、操縦中に埋植式医療用装置に連結されたラインを維持するために結び目構成を維持するように構成される。場合によっては、解放可能なノット４００は、作動ラインに加えられる力に応じて、（作動）ラインと埋植式医療用装置との間の分離に抵抗するように構成される。（図１を参照して上述したように）埋植式医療用装置が患者の血管系に整列された後、テザー１１２は、テザー１１２の端部２１４、２１６の一方に張力を加えることによって、第２及び第３のループ２１０、２１２を第１のループ２０２から解放するように構成される。
【００５４】
図５Ａ〜Ｅは、本開示の様々な態様に係る、標的位置５００ａ〜ｅに対する展開可能な装置のアングルの側面図を示す。図５Ａ〜Ｅの各々は、本開示の様々な態様に一致する、展開可能な装置の先（または近位）端５００ａ〜ｅの側面プロファイルを示す。場合によっては、標的位置５００ａ〜ｅは、患者の蛇行血管にあってもよい。展開可能な装置が埋植される標的位置５００ａ〜ｅは、アングル（例えば、少なくとも１つの変曲点５０４ａ〜ｅを有する湾曲）を有する可能性がある。目標位置５００ａ−ｅは、角度付き腹部大動脈動脈（ＡＡＡ）、神経動脈の下の健全な組織、又は他の蛇行血管であってもよい。本明細書で論じられる解放可能なノットは、埋植式医療用装置上の中点より遠位の（例えば、送達システムのオペレータにより近い）埋植式装置の中点近くの位置での作動ワイヤの作動を可能にする。
【００５５】
場合によっては、展開可能な装置の端部５０２ａ〜ｅのうちの１つは、拡張可能な装置の送達中に、蛇行血管の湾曲における（例えば、健康な血管組織の）変曲点に対して垂直に展開されてもよい。非垂直性は、展開可能な装置が標的位置５００ａ〜ｅを密封する能力に悪影響を及ぼし得る。図５Ａは、変曲点５０４ａに対して垂直に展開された先（又は近位）端５０２ａを示す。場合によっては、展開可能な装置の垂直性は、装置の平坦性、アングル、及び回転整列の関数であってもよい。図５Ｂは、標的位置５００ｂの変曲点５０４ｂに対して角度が付けられた展開可能な装置の先（又は近位）端５０２ｂを示す。図５Ｃは、標的位置５００ｃの変曲点５０４ｃに対して回転された展開可能な装置の先（又は近位）端５０２ｃを示す。図５Ｄは、標的位置５００ｄの変曲点５０４ｂに対して変形した、展開可能な装置の先（又は近位）端５０２ｄを示す。図５Ｅは、標的位置５００ｅの変曲点５０４ｅに対して変形され、扁平状にされ、回転され、又は角度を付けられた、展開可能な装置の先（又は近位）端５０２ｅを示す。
【００５６】
装置の展開及び性能は、展開中及び展開後に、展開可能な装置の端部のうちの１つを、標的位置５００ａ−ｅに垂直に維持しながら（例えば、少なくとも１つの変曲点５０４ａ−ｅを有する容器の曲率）適切な位置に装置を操縦することによって、向上させることができる。本明細書で議論される作動ライン及びその配置は、（図５Ａに示されるように）展開中及び展開後に、展開可能な装置を垂直に維持することを容易にし、（図５Ｂ〜Ｅに示されるように）非垂直、角度付き、又は平坦な展開を軽減する。
【００５７】
本明細書で論じるラインは、ステンレス鋼、コバルト−クロム合金、およびニチノール等の、金属材料、ポリマー材料、又は天然材料から形成することができる。更に、ラインは、超高分子量ポリエチレン繊維（例えば、ＳｐｅｃｔｒａＴＭ、Ｄｙｎｅｅｍａ  ＰｕｒｉｔｙＴＭ等）又はアラミド繊維（例えば、ＴｅｃｈｎｏｒａＴＭ等）等の高強度ポリマー繊維から形成することもできる。
【００５８】
埋植式医療用装置及び／又はパッチのグラフト成分は、選択された身体管腔のグラフトとして使用するのに適し、本明細書で論じられるように、展開に抵抗性である任意の材料から作製されてもよい。グラフト成分は、同じ又は異なる材料から構成されてもよい。更に、グラフト成分は、同じ材料又は異なる材料であり得る材料の複数の層を含み得る。一つの実施形態において、前記材料が組み合わせて使用され、一緒に組み立てられて、グラフトを含むことができる。ステントグラフトに使用されるグラフト材料は、押出成形、コーティング、又はラップフィルムから形成され、又はその組み合わせであってよい。ポリマー、生分解性かつ天然の材料は、特定の用途に使用することができる。
【００５９】
合成ポリマーの例としては、ナイロン、ポリアクリルアミド、ポリカーボネート、ポリホルムアルデヒド、ポリメチルメタクリレート、ポリテトラフルオロエチレン、ポリトリフルオロクロロエチレン、ポリ塩化ビニル、ポリウレタン、エラストマー有機ケイ素ポリマー、ポリエチレン、ポリプロピレン、ポリウレタン、ポリグリコール酸、ポリエステル、ポリアミド、それらの混合物、ブレンド及びコポリマーが、グラフト材料として適切であるが、これらに限定されない。一つの実施形態では、前記グラフトは、ＤＡＣＲＯＮ（登録商標）及びＭＹＬＡＲ（登録商標）を含むポリエチレンテレフタレート等のポリエステル、並びにＫＥＶＬＡＲ（登録商標）等のポリアラミド、共重合ヘキサフルオロプロピレン（ＴＥＦＬＯＮ（登録商標）またはＧＯＲＥ−ＴＥＸ（登録商標））を伴う又は伴わないポリテトラフルオロエチレン（ＰＴＦＥ）等のポリフルオロカーボン、及び多孔質又は非多孔質ポリウレタンから作製される。もう一つの実施形態では、前記グラフトは、英国特許明細書番号１，３５５，３７３；１，５０６，４３２；１，５０６，４３２、若しくは１，５０６，４３２、又は米国特許番号３，９５３，５６６；４，１８７，３９０；４，１８７，３９０；若しくは５，２７６，２７６（これらの全体は、基準として援用される）に記載されている延伸フルオロカーボンポリマー（特にＰＴＦＥ）材料を含む。好ましいフルオロポリマーの種類には、ポリテトラフルオロエチレン（ＰＴＦＥ）、フッ素化エチレンプロピレン（ＦＥＰ）、テトラフルオロエチレン（ＴＦＥ）及びペルフルオロ（プロピルビニルエーテル）との共重合体（ＰＦＡ）、ポリクロロトリフルオロエチレン（ＰＣＴＦＥ）のホモポリマー、該ホモポリマーとＴＦＥとの共重合体、エチレン−クロロトリフルオロエチレン（ＥＣＴＦＥ）、エチレン−テトラフルオロエチレン（ＥＴＦＥ）の共重合体、ポリフッ化ビニリデン（ＰＶＤＦ）、並びにポリフッ化ビニリデン（ＰＶＦ）が含まれる。特に好ましいのは、血管プロテーゼにおけるその広範な使用のために、ｅＰＴＦＥである。もう一つの実施形態において、前記グラフトは、上記に列挙した前記材料の組み合わせを含む。もう一つの実施形態において、前記グラフトは、体液に対して実質的に不透過性である。前記実質的に不透過性のグラフトは、流体に対して実質的に不透過性である材料から作製することができるか、又は流体に対して実質的に不透過性であるように処理又は製造された、透過性材料から構成することができる（例えば、上記又は当技術分野で公知の異なるタイプの材料を層状化することによって）。もう一つの実施形態において、前記最外管は、ｅＰＴＦＥを含む。もう一つの実施形態において、前記最も内側の管は、ｅＰＴＦＥを含む。もう一つの実施形態において、前記最内管及び最外管は、巻かれて管となったｅＰＴＦＥフィルムを含む。もう一つの実施形態において、前記第２のステントは、本明細書に開示された、又は当技術分野で公知の材料のいずれかで覆われる。もう一つの実施形態において、第２のステントのカバーは、ｅＰＴＦＥを含む。
【００６０】
グラフト材料の更なる例としては、フッ化ビニリデン／ヘキサフルオロプロピレンヘキサフルオロプロピレン（ＨＦＰ）、テトラフルオロエチレン（ＴＦＥ）、フッ化ビニリデン、１−ヒドロペンタフルオロプロピレン、ペルフルオロ（メチルビニルエーテル）、クロロトリフルオロエチレン（ＣＴＦＥ）、ペンタフルオロプロペン、トリフルオロエチレン、ヘキサフルオロアセトン、ヘキサフルオロイソブチレン、フッ素化ポリ（エチレン−プロピレン共重合体（ＦＰＥＰ）、ポリ（ヘキサフルオロプロピレン）（ＰＨＦＰ）、ポリ（クロロトリフルオロエチレン）（ＰＣＴＦＥ）、ポリフッ化ビニリデン（ＰＶＤＦ）、ポリ（フッ化ビニリデン−テトラフルオロエチレン共重合体）（ＰＶＤＦ−ＴＦＥ）、ポリ（フッ化ビニリデン−ヘキサフルオロプロペン共重合体）（ＰＶＤＦ−ＨＦＰ）、ポリ（テトラフルオロエチレン−ヘキサフルオロプロペン共重合体）（ＰＴＦＥ−ＨＦＰ）、ポリ（テトラフルオロエチレン−ビニルアルコール共重合体）（ＰＴＦＥ−ＶＡＬ）、ポリ（テトラフルオロエチレン−ビニルアセテート共重合体）（ＰＴＦＥ−ＶＡＣ）、ポリ（テトラフルオロエチレン−プロペン共重合体）（ＰＴＦＥＰ）、ポリ（テトラフルオロプロペン−ビニルアルコール共重合体）（ＰＨＦＰ−ＶＡＬ）、ポリ（エチレン−テトラフルオロエチレン共重合体）（ＰＥＴＦＥ）、ポリ（エチレン−ヘキサフルオロプロペン共重合体）（ＰＥＨＦＰ）、ポリ（フッ化ビニリデン−クロロトリフルオロエチレン共重合体）（ＰＶＤＦ−ＣＴＦＥ）、及びそれらの組み合わせ、並びに全ての目的のためにその全体が参照により本明細書に組み込まれる米国特許出願公開第２００４／００６３８０５号に記載されている追加のポリマー及びコポリマーを含む。追加のポリフルオロコポリマーは、テトラフルオロエチレン（ＴＦＥ）／ペルフルオロアルキルビニルエーテル（ＰＡＶＥ）を含む。
ＰＡＶＥは、両方とも、その全体がすべての目的のために基準により本明細書に組み込まれる米国特許出願公開第２００６／０１９８８６６号及び米国特許Ｎｏ．７，０４９，３８０に記載されているように、ペルフルオロメチルビニルエーテル（ＰＭＶＥ）、ペルフルオロエチルビニルエーテル（ＰＥＶＥ）、又はペルフルオロプロピルビニルエーテル（ＰＰＶＥ）であり得る。他のポリマー及び共重合体は、ポリラクチド、ポリカプロラクトン−グリコリド、ポリオルトエステル、ポリ無水物；ポリ−アミノ酸；多糖；ポリホスファゼン；ポリ（エーテル−エステル）共重合体、例えばＰＥＯ−ＰＬＬＡ、又はそれらのブレンド、ポリジメチル−シオルキサン；ポリ（エチレン−ビンギルアセテート）；アクリレートベースのポリマー又は共重合体、例えばポリ（ヒドロキシエチルメチルメタクリレート、ポリビニルピロリジノン；ポリテトラフルオロエチレン等のフッ素化ポリマー；セルロースエステル、並びにその全体が参照により本明細書に援用される米国公開第２００４／００６３８０５号に記載の任意のポリマー及び共重合体を含む。
【００６１】
グラフト成分は、本明細書中で議論されるように、少なくとも１つの略平坦な表面を有する、略平坦なリボン又はテープである連結部材を使用することによって、自己展開型ステント要素に取り付けられ得る。場合によっては、テープ部材は、接着剤でコーティングされた延伸ＰＴＦＥ（ｅＰＴＦＥ）から作製される。接着剤は、熱可塑性接着剤であってもよい。場合によっては、熱可塑性接着剤は、フッ素化エチレンプロピレン（ＦＥＰ）であってもよい。より具体的には、ｅＰＴＦＥのＦＥＰコーティングされた側は、自己展開型ステント及びグラフト成分の外面に面し、かつ接触し、したがって、自己展開型ステントを、グラフト成分に取り付けることができる。ステントをグラフトに取り付ける材料及び方法は、Ｍａｒｔｉｎの米国特許第６，０４２，６０２号に記載されており、その全体が全ての目的のために基準により本明細書に組み込まれる。
【００６２】
本明細書で論じるステント成分は、様々な生体適合性材料から製造することができる。
これらの材料は、３１６Ｌステンレス鋼、コバルト−クロム−ニッケル−モリブデン−鉄合金（「コバルト−クロム」）、Ｌ６０５、タンタル、ニチノール、又は他の生体適合性金属等の、他のコバルト合金を含むことができる。特定の例では、上記で詳細に論じたように、ステント（およびグラフト）は自己拡張型であってもよい。他の例では、プロテーゼはバルーン拡張可能であってもよい。
【００６３】
本明細書で論じるステント構成要素は、適度に高い強度の材料、すなわち、応力を受けたときに塑性変形に抵抗する材料から構成することができる。一つの実施形態において、ステント成分は、ピンが配置されたマンドレルの周りに螺旋状に巻かれたラインを含み、螺旋状の巻き及び起伏を同時に形成することができる。他の構成も使用することができる。場合によっては、ステント構成要素は、超弾性合金から作製される。ニチノールのような超弾性合金がステントに使用される種々の開示がある。例えば、米国特許番号４，５０３，５６９（Ｄｏｔｔｅｒ）；４，５１２，３３８（Ｂａｌｋｏｅｔ  ａｌ．）；４，９９０，１５５（Ｗｉｌｋｏｆｆ）；５，０３７，４２７（Ｈａｒａｄａｅｔ  ａｌ．）；５，１４７，３７０（ＭａｃＮａｍａｒａｅｔ  ａｌ．）；５，２１１，６５８（Ｃｌｏｕｓｅ）；及び５，２２１，２６１（Ｔｅｒｍｉｎら）を参照されたい。
【００６４】
ニチノール等の様々な金属超弾性合金の様々な材料は、ステント構成要素に使用するのに適している。材料の主な要件は、非常に薄いシートや小さな直径のラインに形成された場合でも、適切に弾力性を有することである。高い弾力性を生成するために物理的、化学的、及び他の方法で処理された種々のステンレス鋼は、コバルトクロム合金（例えば、ＥＬＧＩＬＯＹ（登録商標））、白金／タングステン合金、及び特に、概して「ニチノール」として知られるニッケル−チタン合金のような他の金属合金と同様に適切である。
【００６５】
以上、本出願の発明を、一般的に、及び特定の実施形態に関して説明した。本開示の範囲から逸脱することなく、様々な修正及び変形が実施形態においてなされ得ることが、当業者には明らかであろう。したがって、実施形態は添付の特許請求の技術的範囲及びその均等物の技術的範囲内に入る限り、本発明の修正及び変形を包含することが意図される。
【図１】
2021535786.tif 000003
【図２Ａ】
2021535786.tif 000004
【図２Ｂ】
2021535786.tif 000005
【図２Ｃ】
2021535786.tif 000006
【図２Ｄ】
2021535786.tif 000007
【図３Ａ】
2021535786.tif 000008
【図３Ｂ】
2021535786.tif 000009
【図３Ｃ】
2021535786.tif 000010
【図３Ｄ】
2021535786.tif 000011
【図３Ｅ】
2021535786.tif 000012
【図４Ａ】
2021535786.tif 000013
【図４Ｂ】
2021535786.tif 000014
【図４Ｃ】
2021535786.tif 000015
【図４Ｄ】
2021535786.tif 000016
【図４Ｅ】
2021535786.tif 000017
【図４Ｆ】
2021535786.tif 000018
【図５Ａ】
2021535786.tif 000019
【図５Ｂ】
2021535786.tif 000020
【図５Ｃ】
2021535786.tif 000021
【図５Ｄ】
2021535786.tif 000022
【図５Ｅ】
2021535786.tif 000023
【国際調査報告】
2021535786.tif 000024
2021535786.tif 000025